(57)【要約】【課題】扉体に設置するリフレクターの機能が低下することを防止する。【解決手段】基端側を支点として先端側が起倒自在に設けられた扉体２が、先端側の上下揺動を許容しつつ、浮力を得た状態で係留され、浮上操作は前記係留を解除することで行う起伏ゲート式防波堤１である。扉体２の先端にリフレクターを設置すると共に、格納状態の扉体２のリフレクターと対向する位置に、扉体２の上下揺動によりリフレクターの表面と当接してリフレクターに付着した汚れを除去する清掃用具を設置する。【効果】扉体の上下揺動を利用してリフレクターに付着した汚れを除去することができる。【選択図】図１
2012102457.tif 000002
【特許請求の範囲】
【請求項１】
基端側を支点として先端側が起倒自在に設けられた扉体が、先端側の上下揺動を許容しつつ、浮力を得た状態で係留され、浮上操作は前記係留を解除することで行う起伏ゲート式防波堤であって、
前記扉体の先端にリフレクターを設置すると共に、格納状態の前記扉体の前記リフレクターと対向する位置に、前記扉体の前記上下揺動により前記リフレクターの表面と当接してリフレクターに付着した汚れを除去する清掃用具を設置したことを特徴とする起伏ゲート式防波堤。
【請求項２】
基端側を支点として先端側が起倒自在に設けられた扉体が、先端側の上下揺動を許容しつつ、浮力を得た状態で係留され、浮上操作は前記係留を解除することで行う起伏ゲート式防波堤であって、
前記扉体の先端に円筒形又は多角形のリフレクターを回転自在に設置すると共に、格納状態の前記扉体の前記リフレクターと対向する位置に、前記扉体の前記上下揺動により前記リフレクターの表面と当接してリフレクターに付着した汚れを除去する清掃用具を設置したことを特徴とする起伏ゲート式防波堤。
【請求項３】
前記リフレクターと対向する前記扉体部にも清掃用具を設置したことを特徴とする請求項２に記載の起伏ゲート式防波堤。
【請求項４】
基端側を支点として先端側が起倒自在に設けられた扉体が浮力を得た状態で係留され、浮上操作は前記係留を解除することで行う起伏ゲート式防波堤であって、
前記扉体の先端に、軸方向の一部に風車を設けた円筒形又は多角形のリフレクターを回転自在に設置すると共に、格納状態の前記扉体の前記リフレクターと対向する位置、或いは前記リフレクターと対向する前記扉体部の少なくともどちらか一方に、前記扉体の前記上下揺動により前記リフレクターの表面と当接してリフレクターに付着した汚れを除去する清掃用具を設置したことを特徴とする起伏ゲート式防波堤。
【発明の詳細な説明】
【技術分野】
【０００１】
本発明は、例えば高潮対策として港湾に設置される起伏ゲート式防波堤に関するものである。
【背景技術】
【０００２】
従来の起伏ゲート式防波堤には、災害時に起立動作を確実に行うこと、空気室に給気する給気機構を簡素化すること、及び平常時に扉体の状態観察を行うことを目的として、浮力によって扉体の起伏を行うものがある。
【０００３】
この起伏ゲート式防波堤の場合、扉体は浮力を有した状態に保たれ、係留機構によって倒伏状態に保持されている（例えば特許文献１）。そして、津波或いは高潮時には、係留を解除することにより、港外水位の上昇によって、扉体２は、図５（ａ）の倒伏状態から起立するが、港外水位が上昇する前の浮上状態では、図５（ｂ）のように扉体２の先端が水面から出ているだけである。なお、図５（ｃ）は港外水位が上昇した後の扉体２の起立状態を示した図である。
【０００４】
前記浮上状態の場合は、水面から出ているのは扉体の先端だけで、船舶からの視認性が悪いので、船舶の衝突を避ける技術が望まれていた。その対策として、視認性を向上させるためのリフレクターを扉体に設置しても、前記起伏ゲート式防波堤の場合、通常、扉体は海底に倒伏しているため、海棲生物の付着などによってその機能が低下する懸念があった。
【先行技術文献】
【特許文献】
【０００５】
【特許文献１】特開２０１０−１３３０９５号公報
【発明の概要】
【発明が解決しようとする課題】
【０００６】
本発明が解決しようとする問題点は、起伏ゲート式防波堤の扉体にリフレクターを設置して、浮上状態の場合の視認性を向上させようとしても、海棲生物の付着などによって船舶の衝突を避ける機能が低下する懸念があるという点である。
【課題を解決するための手段】
【０００７】
本発明の起伏ゲート式防波堤は、
海棲生物の付着などによって扉体に設置したリフレクターの機能が低下することを防止して浮上状態の扉体に船舶が衝突しないようにするために、
例えば、
基端側を支点として先端側が起倒自在に設けられた扉体が、先端側の上下揺動を許容しつつ、浮力を得た状態で係留され、浮上操作は前記係留を解除することで行う起伏ゲート式防波堤であって、
前記扉体の先端にリフレクターを設置すると共に、格納状態の前記扉体の前記リフレクターと対向する位置に、前記扉体の前記上下揺動により前記リフレクターの表面と当接してリフレクターに付着した汚れを除去する清掃用具を設置したことを最も主要な特徴としている。
【０００８】
本発明は、先端側の上下揺動を許容しつつ、浮力を得た状態で係留された格納状態の扉体の先端に設置したリフレクターと対向する位置に清掃用具を設置するので、扉体の上下揺動により清掃用具がリフレクターの表面と当接してリフレクターに付着した汚れを除去する。
【発明の効果】
【０００９】
本発明では、先端側の上下揺動を許容しつつ、浮力を得た状態で係留された格納状態の扉体の先端に設置したリフレクターと対向する位置に清掃用具を設置するので、扉体の上下動揺を利用してリフレクターに付着した汚れを除去することができる。
【図面の簡単な説明】
【００１０】
【図１】本発明の起伏ゲート式防波堤の係留時の倒伏状態を説明する概略図で、（ａ）は全体図、（ｂ）は扉体先端の拡大図である。
【図２】係留装置の詳細図で、（ａ）は収納部側の構成を示す斜視図、（ｂ）は制御装置側の構成を示す詳細図である。
【図３】本発明の起伏ゲート式防波堤の他の例を示す扉体先端の拡大図である。
【図４】本発明の起伏ゲート式防波堤を構成する他のリフレクターの斜視図である。
【図５】浮力によって扉体の起伏を行う起伏ゲート式防波堤の動作を示した図で、（ａ）は倒伏状態を示した図、（ｂ）は浮上状態を示した図、（ｃ）は起立状態を示した図である。
【発明を実施するための最良の形態】
【００１１】
本発明では、汚れが付着して扉体に設置したリフレクターの機能が低下することを防止するという目的を、先端側の上下揺動を許容しつつ、浮力を得た状態で係留される扉体の先端にリフレクターを、格納状態の扉体の前記リフレクターと対向する位置に清掃用具を設置することで実現した。
【実施例】
【００１２】
以下、本発明を実施するための形態を、図１〜図４を用いて詳細に説明する。
図１は本発明の起伏ゲート式防波堤の係留時の倒伏状態を説明する概略図、図２は係留装置の詳細図である。
【００１３】
図１において、１は本発明の起伏ゲート式防波堤であり、例えば、扉体２と、この扉体２の浮上時に扉体２が転倒しないように、港湾Ｒの港外側に設けられた複数のテンションロッド３を備えた構成である。
【００１４】
この扉体２は、港口幅の広い水域に設置する場合、幅方向に複数組の扉体ブロックを一定の間隔を存して並設し、隣接した扉体ブロック同士をロープで連結した構成のものとする。
【００１５】
この扉体ブロックの両側端部の開口幅や隣接する扉体ブロック間の開口幅は、例えば津波対応の起伏ゲート式防波堤１では、津波発生時に港内への漏水量が大きくなりすぎないように決定される。なお、扉体ブロックの両側端部の開口幅は、小さくしすぎると異物の挟み込みの問題が生じる。
【００１６】
前記扉体２は、基端側の回転軸２ａを、例えば港湾Ｒの底部に一体構造で設けた収納部４の基台４ａに、軸受５によって回転自在に枢支することで、前記回転軸２ａを支点として先端側が起倒する。
【００１７】
この起倒動作を円滑に行うために、扉体２の先端と前記収納部４の間にも間隔を存在させている。従って、倒伏状態の扉体２の上側の空間Ｓ１と、下側の空間Ｓ２は、各扉体ブロックの両側端部の開口幅と各扉体ブロックの先端と収納部４の間の間隔によって連通している。
【００１８】
また、前記テンションロッド３は、例えばその中間の連結部３ａで二つに折れ曲がるように形成されている。そして、扉体２の起立時に上端側に位置する一方端部３ｂは前記扉体２の先端側に、前記起立時に下端側に位置する他方端部３ｃは、扉体２が倒伏する側の前記回転軸２ａから所定の距離だけ離れた位置に、それぞれ回転が自在なように枢支されている。
【００１９】
前記扉体２の例えば先端側には浮力室が設けられ、図示省略した給気装置（レシーバタンクとコンプレッサ）により、前記浮力室に給気することによって、扉体２の浮上に必要な浮力を得るように構成されている。
【００２０】
６は、浮力を有した状態の前記扉体２を、水中に係留する係留装置であり、例えば図２のように構成されている。
【００２１】
７、８はベルクランク状の転向リンク部材であり、一方の転向リンク部材７は前記扉体２を水中で係留する収納部４の、図１（ａ）に示す係留時の倒伏状態にある扉体２の裏面２ｂと相対する部分に設置されている。また、他方の転向リンク部材８は、格納時の前記倒伏状態にある扉体２の裏面２ｂと相対する部分の、前記収納部４における前記扉体２の一方端外側に設置されている。
【００２２】
９は軸中心周りの回転が自在なトルクシャフトであり、係留状態にある前記扉体２の裏面２ｂにおける例えば先端部側（起立時は扉体２の上端側）に取付けたゲート係留部２ｃと相対する位置に設置されている。そして、このトルクシャフト９の、前記ゲート係留部２ｃとの係合位置に係留フック１０が突出状に取付けられている。
【００２３】
１１は、例えば前記係留フック１０をトルクシャフト９の反対側に突出させ、この反対側の突出部に取付けたカウンタウエイトであり、前記係留フック１０のゲート係留部２ｃへの係合を開放する方向にトルクシャフト９を回転させる。
【００２４】
１２は前記トルクシャフト９の軸方向中間位置に一端側を取付けられたトルクアームであり、その他端側にロッド部材１３の一端側が接続されている。ロッド部材１３の他端側は前記一方の転向リンク部材７、前記他方の転向リンク部材８を介して水面上に引き出される。
【００２５】
このロッド部材１３は、一方の鉛直ロッド１３ａ、水平ロッド１３ｂ、他方の鉛直ロッド１３ｃから構成されている。
【００２６】
このうち一方の鉛直ロッド１３ａは、一方端部に長孔１３ａａを設け、この長孔１３ａａに前記トルクアーム１２の他端側寄りの位置に設けたピン１２ａを挿入している。一方、他方端部には球面ブッシュ１３ａｂを設け、一方の転向リンク部材７の一方側端部７ａに枢支している。
【００２７】
また、水平ロッド１３ｂは、一方端部を一方の転向リンク部材７の他方側端部７ｂに枢支し、他方端部は他方の転向リンク部材８の一方側端部８ａに枢支している。一方の転向リンク部材７が複数個設けられている場合は、水平ロッド１３ｂはこの複数個の一方の転向リンク部材７の他方側端部７ｂと枢支して、他方端部を他方の転向リンク部材８の一方側端部８ａに枢支する。
【００２８】
また、他方の鉛直ロッド１３ｃは、一方端部を他方の転向リンク部材８の他方側端部８ｂに枢支し、他方端部は水面上に引き出されて以下の構成の制御装置１５に接続されている。
【００２９】
１４は、一方の転向リンク部材７の一方側端部７ａの回転軌跡上に設置された動作制限ストッパであり、前記一方側端部７ａが動作制限ストッパ１４に接触することにより、一方の転向リンク部材７の動作範囲を制限する。
【００３０】
１６は、前記係留フック１０をゲート係留部２ｃに着脱するためのフック着脱用シリンダ装置であり、前記他方の鉛直ロッド１３ｃの他方端部近傍に設置されている。このフック着脱用シリンダ装置１６は、底部を固定されたシリンダ１６ａから出退するピストンロッド１６ｂの先端に滑車１７を取り付けている。
【００３１】
１８は、前記滑車１７に巻き回したワイヤ部材であり、その一端側がロードセル１９を介して前記他方の鉛直ロッド１３ｃの他端に接続され、他端側は扉体２の動揺に伴って伸縮する伸縮装置、例えばばね装置２０と接続されている。ばね装置２０に使用するばねは、細長い金属線を螺旋状に巻いたコイルばねを使用している。このワイヤ部材１８の場合、伸びによる交換は水中作業が不要で、地上作業だけで済む。
【００３２】
前記フック着脱用シリンダ装置１６にはピストンロッド１６ｂの出退量を検出するストロークセンサ１６ｃが、また前記ばね装置２０には、ばねのストロークを測定するストロークセンサ２０ａ及びストロークインジケータが設けられている。
【００３３】
以上の構成からなる係留装置６では、収納部４に係留した扉体２の上を波浪が通過した際に扉体２に生じる浮上力に起因する動揺を、ばね装置２０の伸縮により許容して波力を相殺する。
【００３４】
２１は前記扉体２の先端面に設置した例えば平板状のリフレクター、２２は前記基台４ａの、格納状態の扉体２の前記リフレクター２１と対向する位置に設置した清掃用具、例えばブラシ２２である。このブラシ２２の長さは、扉体２の上下揺動により前記リフレクター２１の表面が擦られる長さに調整されている。
【００３５】
前記リフレクター２１及びブラシ２２は、ダイバーによる定期的なメンテナンス作業時に交換できるよう、係留された扉体２の下側から脱着できる構造で、持ち運びが可能な大きさに分割されていることが望ましい。その際、脱着機構に海棲生物が付着するのを軽減できるよう、脱着機構にはシリコン樹脂或いはフッ素樹脂等を使用することが望ましい。
【００３６】
このような位置にブラシ２２を設置することで、扉体２の上下揺動により前記リフレクター２１の表面がブラシ２２で擦られてリフレクター２１に付着した汚れが除去され、リフレクター２１に汚れが付着した状態になるのを防止する。
【００３７】
ところで、前記板状のリフレクター２１の場合、扉体２の浮上状態では、沖側からは視認できるものの、岸側から視認することができない。
【００３８】
そこで、扉体２の浮上状態において、沖側のみならず岸側からも視認することができるようにするためには、図３に示すように、扉体２の先端面に例えば円筒形のリフレクター２１を回転自在に設置すればよい。
【００３９】
この回転自在な円筒形のリフレクター２１の場合、リフレクター２１の汚れを除去するためのブラシ２２は、格納状態の扉体２のリフレクターと対向する位置の基台４ａと、リフレクター２１と対向する扉体部に設置する。また、リフレクター２１と対向する扉体部にブラシ２２を設置する場合は、リフレクター２１とブラシ２２を一体として脱着可能な構造としておくことが望ましい。扉体２の動揺を利用してリフレクター２１の汚れを除去するためには、格納状態の扉体２のリフレクター２１と対向する位置の基台４ａに必ずブラシ２２を取り付ける必要があるが、リフレクター２１と対向する扉体部側のブラシ２２は補助的なものであるため、必ずしも取り付けなくても良い。
【００４０】
また、図４に示すように、前記回転自在な円筒形のリフレクター２１の、軸方向の一部に風車２１ａを設けた場合は、扉体２の浮上状態において、リフレクター２１が風の力を受けて回転するので、より高い視認性を得ることができる。
【００４１】
上記の発明例は、何れも、基端側を支点として先端側が起倒自在になされた扉体２の先端側が、格納時に上下揺動することによって扉体２の先端面に設置したリフレクター２１の表面がブラシ２２で擦られてリフレクター２１に付着した汚れを除去するものである。
【００４２】
しかしながら、図４に示した例の場合は、格納時にはリフレクター２１が流れを受けて回転するので、扉体２の先端側が格納時に上下揺動可能に係留されていなくても良い。なお、流れとは、潮汐あるいは風波によって海底面付近に発生する海水の流れである。
【００４３】
本発明は、前記の例に限るものではなく、各請求項に記載の技術的思想の範疇であれば、適宜実施の形態を変更しても良いことは言うまでもない。
【００４４】
例えば、扉体２の先端に設置するリフレクター２１は、自転車等に設置される赤色のもの（樹脂製）、光を反射させる曲面状のもの（金属製）の何れでも良いが、光を多方向に拡散させて反射するものが望ましい。
【００４５】
また、清掃用具は、リフレクター２１に付着した汚れを除去できるものであれば、ブラシ２２に限らずゴム或いはシリコン製のへらでも良い。さらに、回転自在に設置するリフレクター２１は、円筒形に限らず正８角形等の多角形でも良い。
【００４６】
また、先端側の上下揺動を許容しつつ係留する係留装置６も図２に示した構成に限らず、特許文献１で提案された構成でも良い。
【符号の説明】
【００４７】
１    起伏ゲート式防波堤
２    扉体
２ａ    回転軸
２ｃ    ゲート係留部
４    収納部
４ａ    基台
５    軸受
６    係留装置
２１    リフレクター
２１ａ    風車
２２    ブラシ
【図１】
2012102457.tif 000003
【図２】
2012102457.tif 000004
【図３】
2012102457.tif 000005
【図４】
2012102457.tif 000006
【図５】
2012102457.tif 000007